(57)【要約】      （修正有）【課題】高粘性材料のために使用されるドラムミキサーの混合性能を改善するドラムミキサー加熱システムを提供する。【解決手段】ドラムミキサー加熱システムは、ドラムを支持するカート３と、カート３によって支持されたドラムの外側下方部分を加熱するための加熱ユニットと、を備えるように構成され、加熱ユニットが、底部ジャケット４２及び側部ジャケット４１の少なくとも一方を備え、底部ジャケット４２及び側部ジャケット４１のそれぞれが、加熱流体が循環させられる循環流路を有して形成され、かつカート３に連結されている。【選択図】図２
0003219696.tif 000002
【実用新案登録請求の範囲】
【請求項１】
高粘性材料が混合されるドラムを加熱するためのドラムミキサー加熱システムであって、
前記ドラムを支持するカートと；
前記カートによって支持された前記ドラムの外側下方部分を加熱するための加熱ユニットと；
を備え、
前記加熱ユニットが、底部ジャケット及び側部ジャケットの少なくとも一方を備え、前記底部ジャケット及び前記側部ジャケットのそれぞれが、加熱流体が循環させられる循環流路を有して形成され、かつ前記カートに連結されていることを特徴とするドラムミキサー加熱システム。
【請求項２】
前記加熱ユニットが、前記底部ジャケット及び前記側部ジャケット双方を備えることを特徴とする請求項１に記載のドラムミキサー加熱システム。
【請求項３】
前記カートが、ベース支持体及びスライド移動体を備え、前記ドラムが、前記スライド移動体に支持され、前記ドラムが、前記ドラムが装填されるか又は取り出される装填／取り出し位置と、前記ドラムが前記加熱ユニットによって加熱される加熱位置と、の間で前記ベース支持体に対してスライド可能に前記スライド移動体に係合されることを特徴とする請求項１又は２に記載のドラムミキサー加熱システム。
【請求項４】
前記底部ジャケットが、前記ドラムに近づく方向及び前記ドラムから離れる方向に移動可能であることを特徴とする請求項３に記載のドラムミキサー加熱システム。
【請求項５】
貫通孔が、前記スライド移動体に形成され、
前記底部ジャケットが、前記加熱位置で前記ドラムを加熱するために、前記スライド移動体によって支持された前記ドラムと接触することを特徴とする請求項４に記載のドラムミキサー加熱システム。
【請求項６】
前記側部ジャケットが、一対の側部ジャケット要素を備え、前記一対の側部ジャケット要素が、前記スライド移動体によって支持された前記ドラムの外面に対応する湾曲内面をそれぞれ有し、一端において互いにヒンジ結合され、かつ他端において互いに連結されるか又は互いから分離されることを特徴とする請求項３に記載のドラムミキサー加熱システム。
【請求項７】
高粘性材料が混合されるドラムを加熱するためのドラムミキサー加熱システムであって、
前記ドラムを支持するカートと；
前記カートによって支持された前記ドラムの外側下方部分を加熱するための加熱ユニットと；
を備え、
前記加熱ユニットが、底部ジャケット及び側部ジャケットを備え、前記底部ジャケット及び前記側部ジャケットのそれぞれが、加熱流体が循環させられる循環流路を有して形成され、かつ前記カートに連結されており、
前記カートが、ベース支持体及びスライド移動体を備え、前記ドラムが、前記スライド移動体に支持され、前記ドラムが、前記ドラムが装填されるか又は取り出される装填／取り出し位置と、前記ドラムが前記加熱ユニットによって加熱される加熱位置と、の間で前記ベース支持体に対してスライド可能に前記スライド移動体に係合され、
前記底部ジャケットが、前記ドラムに近づく方向及び前記ドラムから離れる方向に移動可能であることを特徴とするドラムミキサー加熱システム。
【考案の詳細な説明】
【技術分野】
【０００１】
本考案は、特に高粘性材料のために使用されるドラムミキサーの混合性能を改善するためのドラムミキサー加熱システムに関する。
【背景技術】
【０００２】
従来、所定時間の混合プロセスの後に、“ドラムからドラムへ(drum to drum)”のプロセスを通じて、材料を収容するドラムから空のドラム内に材料を注入するとともに、ドラムの底部から残りの材料を廃棄するプロセスが必要とされる。
【０００３】
このドラムからドラムへのプロセスは、バッチごとに約６０分の追加時間を必要とし、追加のドラムを必要としかつバッチごとに約０．１％の材料のロスを有するという欠点を有する。
【０００４】
この問題を克服するために、ドラムを加熱する方法が使用された。従来、いわゆるドラムヒータが、ドラムを加熱するために使用される。この方法では、電気的に加熱されるカラーが、容器の周り、一般的にはスチールドラムの周りでクランプされる。しかしながら、この方法は、材料の品質に有害な影響を有する可能性がある局所的な過熱を引き起こす可能性があり、カラーは、ドラム内の異なるセクションを溶かすために複数回動かされるべきであり、この方法は、時間がかかる。
【０００５】
あるいは、ドラムは、粘性を消すため又は下げるために、数時間又は数日の間、５０℃以上の加熱室内に置かれる。この方法も、撹拌することができないので局所的な過熱を引き起こす可能性があり、かつ非常に多くの時間が必要とされるという欠点を有する。
【０００６】
別の方法が、特許文献１から公知である。この方法では、混合プロセスは、ドラムを回転させながら行われ、加熱は、内部を高温水が流れる加熱要素である撹拌機によって行われる。撹拌機、すなわち加熱要素は、固定されている。しかしながら、この方法は、材料を収容するドラムが回転するので制限された回転速度を有し、安全性の問題を起こしやすい可能性がある。さらに、流体が流れる撹拌機が壊れると、ドラム内の材料には、異物が混入される可能性がある。
【先行技術文献】
【特許文献】
【０００７】
【特許文献１】米国特許第５５５５７９６号明細書
【考案の概要】
【考案が解決しようとする課題】
【０００８】
本考案は、ドラムミキサー加熱システムに関し、本考案の課題は、従来技術の上記の問題を解決するとともに高粘性材料のために使用されるドラムミキサーの混合性能を改善するドラムミキサー加熱システムを提供することである。
【課題を解決するための手段】
【０００９】
上記の技術的課題を解決するために、本考案は、カート上で支持されたドラムの外側下方部分を加熱するための加熱ユニットを備え、加熱ユニットが、底部ジャケット及び側部ジャケットの少なくとも一方を備え、底部ジャケット及び側部ジャケットのそれぞれが、加熱流体が循環させられる循環流路を有して形成され、かつカートに連結されている。
【００１０】
本考案では、加熱ユニットが、底部ジャケット及び側部ジャケット双方を備えてもよい。
【００１１】
本考案では、カートが、ベース支持体及びスライド移動体を備え、ドラムが、スライド移動体に支持され、ドラムが、ドラムが装填されるか又は取り出される装填／取り出し位置と、ドラムが加熱ユニットによって加熱される加熱位置と、の間でベース支持体に対してスライド可能にスライド移動体に係合されてもよい。
【００１２】
本考案では、底部ジャケットが、ドラムに近づく方向及びドラムから離れる方向に移動可能であってもよい。
【００１３】
本考案では、貫通孔が、スライド移動体に形成され、底部ジャケットが、加熱位置でドラムを加熱するために、スライド移動体によって支持されたドラムと接触してもよい。
【００１４】
本考案では、側部ジャケットが、一対の側部ジャケット要素を備え、一対の側部ジャケット要素が、スライド移動体によって支持されたドラムの外面に対応する湾曲内面をそれぞれ有し、一端において互いにヒンジ結合され、かつ他端において互いに連結されるか又は互いから分離されてもよい。
【００１５】
本考案では、本考案は、ドラムを支持するカートと、カートによって支持されたドラムの外側下方部分を加熱するための加熱ユニットと、を備え、加熱ユニットが、底部ジャケット及び側部ジャケットを備え、底部ジャケット及び側部ジャケットのそれぞれが、加熱流体が循環させられる循環流路を有して形成され、かつカートに連結されており、カートが、ベース支持体及びスライド移動体を備え、ドラムが、スライド移動体に支持され、ドラムが、ドラムが装填されるか又は取り出される装填／取り出し位置と、ドラムが加熱ユニットによって加熱される加熱位置と、の間でベース支持体に対してスライド可能にスライド移動体に係合され、底部ジャケットが、ドラムに近づく方向及びドラムから離れる方向に移動可能である。
【図面の簡単な説明】
【００１６】
【図１】本考案によるドラムミキサー加熱システムの全体図である。
【図２】ドラムが置かれていない状態でのドラムミキサー加熱システムを示す図である。
【図３】本考案によるドラムミキサー加熱システムの正面図である。
【図４】本考案によるドラムミキサー加熱システムの平面図である。
【考案を実施するための形態】
【００１７】
以下では、本考案の例示的な実施形態が、詳細に説明される。例示的な実施形態は、本考案の範囲を限定することなく本考案を説明するために実現される例としての役割を果たす。
【００１８】
図１は、本考案によるドラムミキサー加熱システム（１）の全体図を示す。ドラムミキサー加熱システム（１）は、カート（３）及び加熱ユニット（４）を備えている。カート（３）は、ドラム（２）を置くことができるように構成され、加熱ユニット（４）は、ドラム（２）の外部からドラム（２）を加熱することができるように構成されている。
【００１９】
図２を参照すると、カート（３）は、ベース支持体（３１）及びスライド移動体（３２）を備えている。スライド移動体（３２）は、ドラム（２）が装填されるか又は取り出される装填／取り出し位置と、ドラム（２）が加熱ユニット（４）によって加熱される加熱位置と、の間で移動することができる。スライド移動体（３２）は、装填／取り出し位置と、加熱位置と、の間でスライド可能にベース支持体（３１）と係合される。
【００２０】
図２は、スライド移動体（３２）が装填／取り出し位置にあることを示す。ドラム（２）は、装填／取り出し位置においてスライド移動体（３２）上に置かれ、その後、加熱位置に移動させられる。装填／取り出し位置と、加熱位置と、の間の移動は、スライド移動体を押すオペレータによって又はアクチュエータなどの手段により可能である。
【００２１】
加熱ユニット（４）は、ドラム内の材料を加熱するためのものである。特に、加熱ユニット（４）は、ドラムの外側下方部分を加熱する。加熱ユニット（４）は、側部ジャケット（４１）及び底部ジャケット（４２）を備えている。側部ジャケット（４１）及び底部ジャケット（４２）は、加熱流体が循環させられる循環流路を有してそれぞれ形成され、カート（３）にそれぞれ連結されている。側部ジャケット（４１）及び底部ジャケット（４２）に形成された循環流路内では、加熱流体が、循環器（４３）によって循環させられる。
【００２２】
図４を参照すると、側部ジャケット（４１）は、ドラム（２）の外面に対応する湾曲内面を有する一対の側部ジャケット要素（４１１）を備えている。一対の側部ジャケット要素（４１１）の一端は、互いにヒンジ結合され、一対の側部ジャケット要素（４１１）の他端は、係合又は互いから係合解除されるように構成されている。例えば、側部ジャケット（４１）は、側部ジャケット要素（４１１）が他端で係合又は係合解除することを可能とするために、クランプ（４１２）を有する。
【００２３】
図３を参照すると、スライド移動体（３２）は加熱位置に位置決めされ、ドラム（２）は側部ジャケット（４１）内に収容され、一対の側部ジャケット要素は互いに係合され、そして側部ジャケット（４１）はドラム（２）を固定することができる。
【００２４】
加熱流体は、ドラム（２）の下側を加熱するために、側部ジャケット（４１）に形成された循環流路（４４）に沿って流れる。
【００２５】
スライド移動体（３２）が加熱位置にあると、底部ジャケット（４２）はドラム（２）の底部の下方に配置され、加熱流体が底部ジャケットに形成された循環流路（図示せず）に沿って流れ、それにより、ドラムの底部を加熱する。底部ジャケット（４２）は、ドラム（２）に近づく方向及びドラム（２）から離れる方向に移動可能である。例えば、図３を参照すると、底部ジャケット（４２）は、シリンダ（６）によって上下に移動することができる。シリンダ（６）の両側には、ボールブッシング（８）が、動作中の底部ジャケット（４２）を支持するために配置されている。
【００２６】
図２を参照すると、貫通孔が、スライド移動体（３２）に形成されている。貫通孔の周りには、ドラム（２）の底面の縁部を支持するための座部が形成されている。スライド移動体（３２）が加熱位置にあると、底部ジャケット（４２）は、貫通孔を通ってドラムの底部と直接接触することができ、ドラム（２）へ熱を効率的に伝えることができる。
【００２７】
本考案は、典型的には、一般的に使用されるサイズである、約５６０ｍｍから６００ｍｍの直径及び約９００ｍｍの高さを有するシリンダ状ドラムに適用可能である。しかしながら、本考案は、このサイズに限定されない。
【００２８】
スライド移動体（３２）は、ドラムが装填／取り出し位置において装填されるかもしくは取り出されるとき又は混合プロセスが加熱位置において行われるときにスライド移動体（３２）を不動に固定するための固定手段を含んでもよい。例えば、ピン（７）が、固定手段として使用され得る。図３を参照すると、ピン（７）は、スライド移動体（３２）を固定するために、ベース支持体（３１）とスライド移動体（３２）の一部とを貫通する。また、ピン（７）の複数の挿入孔が、スライド移動体（３２）を装填／取り出し位置、加熱位置などに固定するために形成されてもよい。
【００２９】
以下では、上記で説明されるように構成されたドラムミキサー加熱システムを使用してドラム内の材料を加熱するプロセスの例が、説明される。
【００３０】
ドラムが置かれる前に、スライド移動体（３２）は、装填／取り出し位置にあり、ピン（７）などの固定手段によって固定される。側部ジャケット（４１）は、開いており、底部ジャケット（４２）は、ドラムの底部位置の下方に位置決めされる。
【００３１】
ドラムはスライド移動体（３２）上に置かれ、固定手段は解除され、そして、スライド移動体（３２）は押されて加熱位置に置かれる。加熱位置に置かれたスライド移動体（３２）は、移動しないように固定手段によって固定される。開かれた側面ジャケット（４１）は、ドラム（２）を固定するために、閉じられ、クランプ（４１２）によってクランプされる。側部ジャケット（４１）の側部ジャケット要素（４１１）が、ドラム（２）の外側側面に対応する湾曲形状に形成されているので、側部ジャケット（４１）は、ドラム（２）と緊密に接触することができる。
【００３２】
ドラム（２）の底部の下方に配置された底部ジャケット（４２）は、シリンダ（６）によって持ち上げられ、スライド移動体（３２）の貫通孔を通ってドラム（２）の底部と接触させられる。その後、加熱流体が、ドラム（２）を加熱するために循環流路（４４）内で循環させられ、混合プロセスが、インペラを使用して行われる。混合プロセスが完了した後に、ドラムは、上述したプロセスの逆の順序で取り出される。
【００３３】
本考案によるドラムミキサー加熱システムは、ドラムからドラムへのプロセスを必要とせず、混合プロセスのために必要とされる時間は、短縮され、ドラムからドラムへのプロセスによって引き起こされる材料のロスが防止され得る。
【００３４】
さらに、本考案によるドラムミキサー加熱システムでは、加熱ユニットが、ドラムの外側下方部分を加熱し、それにより、ドラムの内部の材料を加熱し、それにより、高粘性材料の混合プロセスを効率的に行う。さらに、材料の品質に有害な影響を有する可能性がある局所的な過熱は、生じず、ドラムが、ドラムの外部に配置された加熱ユニットによって加熱されるので、異物がドラムに流入する恐れがない。さらに、ドラムは回転することなく固定され、混合プロセスはインペラの回転によって行われ、このため、混合プロセスはより効率的に行うことができ、安全性の問題は生じない。
【符号の説明】
【００３５】
１  ドラムミキサー加熱システム、２  ドラム、３  カート、３１  ベース支持体、３２  スライド移動体、４  加熱ユニット、４１  側部ジャケット、４１１  側部ジャケット要素、４２  底部ジャケット、４４  循環流路
【図１】
0003219696.tif 000003
【図２】
0003219696.tif 000004
【図３】
0003219696.tif 000005
【図４】
0003219696.tif 000006